(57)【要約】【課題】凝縮性能の向上を図ることができる復水器を提供する。【解決手段】蒸気が導入される筐体内に配置され、蒸気と熱交換する冷却水が内部を流れる複数の冷却管と、上下方向に延びるとともに、周囲を複数の冷却管に囲まれる内部流路と、複数の冷却管が延びる方向に間隔をあけて配置され、複数の冷却管を支持する複数の管支持板５と、複数の管支持板５の間にわたって配置されるとともに、一の管支持板５から他の管支持板５に向かって下方へ傾斜する水受け部３７と、が設けられていることを特徴とする。【選択図】図５
2010071485.tif 000002
【特許請求の範囲】
【請求項１】
蒸気が導入される筐体内に配置され、該蒸気と熱交換する冷却水が内部を流れる複数の冷却管と、
上下方向に延びるとともに、周囲を前記複数の冷却管に囲まれる内部流路と、
前記複数の冷却管が延びる方向に間隔をあけて配置され、前記複数の冷却管を支持する複数の管支持板と、
前記複数の管支持板の間にわたって配置されるとともに、一の管支持板から他の管支持板に向かって下方へ傾斜する水受け部と、
が設けられていることを特徴とする復水器。
【請求項２】
前記水受け部は、前記内部流路の内部に設けられていることを特徴とする請求項１記載の復水器。
【請求項３】
前記水受け部は、前記管支持板と略平行な断面視において略Ｖ字状に折り曲げられた板状部材であることを特徴とする請求項１または２に記載の復水器。
【請求項４】
前記水受け部の板状部材には、上下方向に貫通した貫通孔と、該貫通孔の周囲から上方に突出した突出部と、が設けられていることを特徴とする請求項３記載の復水器。
【請求項５】
前記水受け部は、前記管支持板と略平行な断面視において、上下方向に延びるとともに波状に折り曲げられた複数の波板部が左右方向に並んで配置され、
該波板部の頂部の近傍に、前記波板部から離れる方向、かつ、上方に向かって延びる分岐部と、
を有することを特徴とする請求項１または２に記載の復水器。
【発明の詳細な説明】
【技術分野】
【０００１】
本発明は、復水器に関する。
【背景技術】
【０００２】
一般に、蒸気タービンを駆動した後に、蒸気タービンから排出された蒸気に含まれる水分は復水器において凝縮され、復水として回収されている。
上述の復水器の内部には冷却水が流れる冷却管群が配置されており、復水器の内部に導かれた蒸気を、冷却管群の内部を流れる冷却水により冷却して凝縮している（例えば、特許文献１参照。）。
【０００３】
上述のように蒸気を凝縮して得られた復水は復水器の下部から回収される一方で、凝縮後の蒸気の残存分や、空気などの非凝縮性気体は、空気抽出部から復水器外部に配置された真空ポンプへ導かれる。
【０００４】
具体的には、蒸気タービンから排気された蒸気は、復水器の冷却管群の間に流れ込み、冷却水との熱交換により冷却され、冷却管の表面で凝縮される。
そして、残存蒸気と空気等の非凝縮性気体は、冷却管群の内部に形成された内部蒸気通路を流れ、空気冷却部を通過した後に、空気抽出部へと流れ込む。このようにすることで、冷却管群の内部において蒸気がスムーズに流れる。
【特許文献１】特許第３９０７８９４号公報
【発明の開示】
【発明が解決しようとする課題】
【０００５】
上述のように、冷却管の表面で凝縮した復水は内部蒸気通路の内部を落下する。すると、落下した復水が、内部蒸気通路の下方に配置された冷却管群に付着し、当該冷却管群における蒸気の冷却を妨げる、言い換えると、復水器における蒸気の凝縮性能の向上を妨げるという問題があった。
【０００６】
本発明は、上記の課題を解決するためになされたものであって、凝縮性能の向上を図ることができる復水器を提供することを目的とする。
【課題を解決するための手段】
【０００７】
上記目的を達成するために、本発明は、以下の手段を提供する。
本発明の復水器は、蒸気が導入される筐体内に配置され、該蒸気と熱交換する冷却水が内部を流れる複数の冷却管と、上下方向に延びるとともに、周囲を前記複数の冷却管に囲まれる内部流路と、前記複数の冷却管が延びる方向に間隔をあけて配置され、前記複数の冷却管を支持する複数の管支持板と、前記複数の管支持板の間にわたって配置されるとともに、一の管支持板から他の管支持板に向かって下方へ傾斜する水受け部と、が設けられていることを特徴とする。
【０００８】
本発明によれば、冷却管から落下する水を水受け部により受け止め、管支持板をつたって下方に流れ落とすことにより、下方に配置された冷却管における熱交換性能の低下を抑制することができる。
【０００９】
具体的には、筐体内に導入された蒸気は、冷却管の表面で冷却水と熱交換して冷却され、凝縮して水となる。凝縮した水は冷却管の表面から下方に落下して、水受け部に受け止められる。受け止められた水は、水受け部の傾斜にしたがって他の管支持板に向かって流れ、他の管支持板の表面をつたって下方に流れ落ちる。
そのため、下方に配置された冷却管に、上方に配置された冷却管によって凝縮された水が付着することが防止される。つまり、下方に配置された冷却管に、付着した水による皮膜が形成されることが防止され、当該皮膜による熱交換性の悪化が防止される。
【００１０】
上記発明においては、前記水受け部は、前記内部流路の内部に設けられていることが望ましい。
【００１１】
本発明によれば、内部流路の上方に配置された冷却管の表面から内部流路に落下した水は、水受け部に受け止められる。そのため、内部流路の下方に配置された冷却管における熱交換性能の低下が防止される。
【００１２】
上記発明においては、前記水受け部は、前記管支持板と略平行な断面視において略Ｖ字状に折り曲げられた板状部材であることが望ましい。
【００１３】
本発明によれば、水受け部により受け止められた水は、略Ｖ字状の断面の最も低い所に集まり、他の管支持板に向かって流れる。そのため、水受け部により受け止められた水を、確実に他の管支持板に導くことができる。
【００１４】
上記発明においては、前記水受け部の板状部材には、上下方向に貫通した貫通孔と、該貫通孔の周囲から上方に突出した突出部と、が設けられていることが望ましい。
【００１５】
本発明によれば、水受け部が配置された領域を上方から下方へ、または、下方から上方へ流れる蒸気などの流体は、貫通孔を通過して流れる。そのため、貫通孔が設けられていない場合と比較して、蒸気などの流体が流れやすい。
その一方で、水受け部に受け止められた水は、水受け部の板状部材の上を流れる際に、突出部により貫通孔を迂回して流れる。
そのため、筐体の内部における蒸気流れの阻害を抑制するとともに、水受け部の下方に配置された冷却管における熱交換性能の低下を防止できる。
【００１６】
上記発明においては、前記水受け部は、前記管支持板と略平行な断面視において、上下方向に延びるとともに波状に折り曲げられた複数の波板部が左右方向に並んで配置され、該波板部の頂部の近傍に、前記波板部から離れる方向、かつ、上方に向かって延びる分岐部と、を有することが望ましい。
【００１７】
本発明によれば、水受け部が配置された領域を上方から下方へ、または、下方から上方へ流れる蒸気などの流体は、波板部の間を通過して流れる。
その一方で、水受け部の上方に配置された冷却管の表面から落下した水は、波板部に受け止められ、その表面をつたって波板部と分岐部との間に流入する。
あるいは、直接、波板部と分岐部との間に受け止められる。そして、波板部と分岐部との間の水は、他の管支持板に向かって流れ、他の管支持板をつたって下方に流れ落ちる。
【発明の効果】
【００１８】
本発明の復水器によれば、冷却管から落下する水を水受け部により受け止め、管支持板をつたって下方に流れ落とすことにより、下方に配置された冷却管における熱交換性能の低下を抑制し、復水器における凝縮性能の向上を図ることができるという効果を奏する。
【発明を実施するための最良の形態】
【００１９】
〔第１の実施形態〕
以下、本発明の第１の実施形態について図１から図６を参照して説明する。
図１は、本実施形態の復水器の構成を説明する模式図である。図２は、図１の復水器の構成を説明するＡ−Ａ断面視図である。
復水器１は、蒸気タービンの駆動に用いられた蒸気を凝縮して水に戻し、復水として再び蒸気を生成するボイラなどに供給するものである。本実施形態では、火力発電プラントや、原子力発電プラントなどに用いられ復水器１に適用して説明する。
復水器１には、図１および図２に示すように、復水器１の外形を構成する胴（筐体）２と、蒸気を冷却する冷却管３の集合である冷却管群３Ｇと、が設けられている。
【００２０】
胴２には、図１および図２に示すように、冷却管群３Ｇとともに冷却水が循環する経路を形成する水室２１と、蒸気から凝縮した水である復水が一時的に溜まるホットウェル２２と、が設けられている。
さらに、胴２の上部には、蒸気タービンのタービン部４が配置され、タービン部４の下方には冷却管群３Ｇが配置されている。
タービン部４は、蒸気タービンにおける複数のタービン部のうち、最後に蒸気が流入するタービン部であり、例えば、低圧タービンを挙げることができる。
【００２１】
水室２１は、冷却管群３Ｇと連通され、冷却管群３Ｇに冷却水を供給、または、冷却管群３Ｇから冷却水が流入するものである。冷却水としては、蒸気よりも温度の低い水、例えば海水などを例示することができ、特に限定するものではない。
【００２２】
ホットウェル２２は、冷却管群３Ｇの下方に配置され、蒸気から凝縮した復水が一時的に溜まるものである。ホットウェル２２の復水は復水ポンプ２３によりボイラなどの蒸気を発生させる蒸気発生部に給水される。
【００２３】
冷却管群３Ｇは、図１および図２に示すように、胴２の内部に複数配置されている。それぞれの冷却管群３Ｇは、タービン部４とホットウェル２２との間に、胴２の長手方向、言い換えると、タービン部４の回転軸線が延びる方向に沿って延びるように配置され、かつ、左右方向（図２の左右方向）に並んで配置されている。
【００２４】
なお、冷却管群３Ｇは、タービン部４の回転軸線に直角方向に延びる様に配置してもよい。冷却管群３Ｇの配置方法として、上述の冷却管群３Ｇが回転軸線に対して直角方向に延びる配置、又は、回転軸線に対して平行方向に延びる配置を適宜選ぶことにより、タービン建屋における配置上の制約を克服することができる。
【００２５】
さらに、冷却管群３Ｇには、図１に示すように、冷却管３を支持する複数の管支持板５が設けられている。管支持板５は、冷却管３の延びる方向に間隔をあけて配置され、冷却管群３Ｇが後述の形状を保つように支持している。
【００２６】
図３は、図２の冷却管群の構成を説明する断面視図である。図３におけるハッチングが施されている領域は、冷却管３が配置されている領域を示している。
冷却管群３Ｇは、図３に示すように、左右方向の長さに対して上下方向の長さが長い形状とされている。さらに、冷却管群３Ｇは上方に向かうにしたがい、左右方向の長さが短くなる先細りの形状ともされている。
本実施形態では、冷却管群３Ｇの左右方向の長さを１とした場合に、上下方向の長さが３から４となる冷却管群３Ｇの形状に適用して説明する。
【００２７】
冷却管群３Ｇにおける冷却管３が配置されている領域は、図３に示すように、上方から順に上部熱交換部３１と、空気冷却部３２と、下部熱交換部３３と、に分割されている。上部熱交換部３１と空気冷却部３２との間には、上部トレイ３４が配置され、空気冷却部３２と下部熱交換部３３との間には下部トレイ３５が配置されている。
さらに冷却管群３Ｇの内部には、図３に示すように、周囲が冷却管３に囲まれた内部蒸気通路（内部流路）３６と、水受けトレイ（水受け部）３７と、空気抽出部３８と、が設けられている。
【００２８】
上部熱交換部３１および下部熱交換部３３は、蒸気を冷却することにより、蒸気を凝縮して水（復水）とするものである。
上部熱交換部３１は冷却管群３Ｇの上方に配置され、蒸気は上部熱交換部３１の外側から内部蒸気通路３６に向かって、かつ、上方から下方に向かって流れている。下部熱交換部３３は冷却管群３Ｇの下方に配置され、蒸気は下部熱交換部３３の外側から内部蒸気通路３６に向かって、かつ、下方から上方に向かって流れている。
【００２９】
空気冷却部３２は、上部熱交換部３１および下部熱交換部３３を通過した蒸気や、空気などの非凝縮性気体を冷却するものである。
空気冷却部３２は、上部熱交換部３１および下部熱交換部３３の間であって、内部蒸気通路３６と空気抽出部３８との間に配置されたものである。内部蒸気通路３６を流れてきた未凝縮の蒸気や、非凝縮性の気体は、空気冷却部３２を通過して空気抽出部３８に流入する。
【００３０】
上部トレイ３４は、冷却管３の延びる方向（図３の紙面に対して垂直方向）に延びる板状の部材であり、上部熱交換部３１と空気冷却部３２とを分けるものである。
下部トレイ３５は、上部トレイ３４と同様に、冷却管３の延びる方向（図３の紙面に対して垂直方向）に延びる板状の部材であり、空気冷却部３２と下部熱交換部３３とを分けるものである。
【００３１】
内部蒸気通路３６は、周囲を冷却管３に囲まれ、上下方向に延びるとともに、冷却管３が延びる方向（図３の紙面に対して垂直な方向）に延びる流路である。内部蒸気通路３６は、上部熱交換部３１および下部熱交換部３３を通過した未凝縮の蒸気や、非凝縮性気体が流入する流路であり、かつ、これら未凝縮の蒸気等を空気冷却部３２に導く流路でもある。
【００３２】
図４は、図３の水受けトレイの形状を説明する模式図である。図５は、図３の水受けトレイの配置を説明する模式図である。
水受けトレイ３７は、図３から図５に示すように、内部蒸気通路３６における上部熱交換部３１に囲まれた領域に配置されたものである。
水受けトレイ３７は断面が略Ｖ字状に形成された板部材であり、Ｖ字の開口が上方に向くように配置されたものである。さらに、水受けトレイ３７は、隣り合う管支持板５の間を繋いで配置され、一の管支持板５から他の管支持板５に向かって、水受けトレイ３７が下方に傾斜して配置されている。
【００３３】
図５に示すように、水受けトレイ３７における下方に配置された端部（図５の右側の端部）には、水受けトレイ３７の上を流れた復水を、管支持板５をつたって下方に流出させる排出部３７Ａが設けられている。
【００３４】
空気抽出部３８は、図３に示すように、空気冷却部３２を通過した未凝縮の蒸気や、空気などの非凝縮性気体を外部に導く流路である。
空気抽出部３８は冷却管３に沿って延びる流路であり、上部熱交換部３１と下部熱交換部３３との間であって、空気冷却部３２の外側に配置されている。
【００３５】
次に、上記の構成からなる復水器１における作用について説明する。
図１および図２に示すように、蒸気タービンのタービン部４の駆動に用いられた蒸気は、胴２の内部を、タービン部４から冷却管群３Ｇに向かって流れる。
【００３６】
蒸気は、図３に示すように、冷却管群３Ｇにおける上部熱交換部３１および下部熱交換部３３に流入し、冷却管３の内部を流れる冷却水により冷却される。冷却された蒸気は、冷却管３の表面において凝縮して水となる。
【００３７】
上部熱交換部３１における冷却管３の表面で凝縮した水は、重力により下方に落下する。特に、内部蒸気通路３６の上方で凝縮した水は、内部蒸気通路３６内を下方に落下する。
内部蒸気通路３６内を落下した水は、水受けトレイ３７に受け止められ、図５に示すように、水受けトレイ３７の上を管支持板５に向かって流れる。水受けトレイ３７の上を流れた水は、排出部３７Ａにおいて水受けトレイ３７から下方に流れ落ちるとともに、管支持板５をつたって下方に流れ落ち、ホットウェル２２まで落下する。
【００３８】
下部熱交換部３３における冷却管３の表面で凝縮した水も、同様に重力により下方に落下して、ホットウェル２２まで落下する。
ホットウェル２２に落下した水は、図２に示すように、復水ポンプ２３によりボイラなどに送水される。
【００３９】
その一方、上部熱交換部３１および下部熱交換部３３と通過した未凝縮の蒸気や、空気などの非凝縮性気体は、図３に示すように、内部蒸気通路３６に流入する。
上部熱交換部３１から内部蒸気通路３６に流入した未凝縮の蒸気等は、内部蒸気通路３６の内部と下方に向かって流れ、空気冷却部３２に流入する。下部熱交換部３３から内部蒸気通路３６に流入した未凝縮の蒸気等は、内部蒸気通路３６の内部を上方に向かって流れ、空気冷却部３２に流入する。
【００４０】
空気冷却部３２に流入した未凝縮の蒸気等は、空気冷却部３２の冷却管３を流れる冷却水によりさらに冷やされる。未凝縮の蒸気の一部は凝縮されて水となり、ホットウェル２２に落下する。
空気冷却部３２においても凝縮されなかった蒸気や、非凝縮性気体は、空気冷却部３２から空気抽出部３８に流入し、胴２から外部に排気される。
【００４１】
上記の構成によれば、冷却管３から落下する水を水受けトレイ３７により受け止め、管支持板５をつたって下方に流れ落とすことにより、下方に配置された冷却管３における熱交換性能の低下を抑制することができる。つまり、復水器１における凝縮性能の向上を図ることができる。
【００４２】
具体的には、胴２内に導入された蒸気は、冷却管３の表面で冷却水と熱交換して冷却され、凝縮して水となる。凝縮した水は冷却管３の表面から下方に落下して、水受けトレイ３７に受け止められる。受け止められた水は、水受けトレイ３７の傾斜にしたがって管支持板５に向かって流れ、管支持板５の表面をつたって下方に流れ落ちる。
そのため、下方に配置された冷却管３に、上方に配置された冷却管３によって凝縮された水が付着することが防止される。つまり、下方に配置された冷却管３に、付着した水による皮膜が形成されることが防止され、当該皮膜による熱交換性の悪化が防止される。
【００４３】
水受けトレイ３７の断面を略Ｖ字状に形成することで、水受けトレイ３７により受け止められた水は、略Ｖ字状の断面の最も低い所に集まり、管支持板５に向かって流れる。そのため、水受けトレイ３７により受け止められた水を、確実に管支持板５に導くことができる。
【００４４】
図６は、図４の水受けトレイの他の実施例を説明する部分断面図である。
なお、上述の実施形態のように、水受けトレイ３７を略Ｖ字状に折り曲げた板状の部材から形成してもよいし、図６に示すように、略Ｖ字状に折り曲げた板状の部材に複数の貫通孔３７Ｂおよび貫通孔３７Ｂの周囲を上方に突出させた突出部３７Ｃを設けてもよく、特に限定するものではない。
【００４５】
このようにすることで、水受けトレイ３７が配置された領域を上方から下方へ流れる未凝縮の蒸気などの流体は、貫通孔３７Ｂを通過して流れる。そのため、貫通孔３７Ｂが設けられていない場合と比較して、蒸気などの流体が内部蒸気通路３６を流れ易くできる。
【００４６】
その一方で、水受けトレイ３７に受け止められた水は、水受けトレイ３７の板状部材の上を流れる際に、突出部３７Ｃにより貫通孔３７Ｂを迂回して流れる。
そのため、胴２の内部における蒸気流れの阻害を抑制するとともに、水受けトレイ３７の下方に配置された冷却管３における熱交換性能の低下を防止できる。
【００４７】
〔第２の実施形態〕
次に、本発明の第２の実施形態について図７から図９を参照して説明する。
本実施形態の復水器の基本構成は、第１の実施形態と同様であるが、第１の実施形態とは、水受けトレイの構成が異なっている。よって、本実施形態においては、図７から図９を用いて水受けトレイの周辺のみを説明し、その他の構成要素等の説明を省略する。
図７は、本実施形態に係る復水器の冷却管群の構成を説明する模式図である。図７におけるハッチングが施されている領域は、冷却管３が配置されている領域を示している。
なお、第１の実施形態と同一の構成要素については、同一の符号を付してその説明を省略する。
【００４８】
復水器１０１の冷却管群１０３Ｇは、図７に示すように、上方から順に上部熱交換部３１と、空気冷却部３２と、下部熱交換部３３と、に分割されている。上部熱交換部３１と空気冷却部３２との間には、上部トレイ３４が配置され、空気冷却部３２と下部熱交換部３３との間には下部トレイ３５が配置されている。
さらに冷却管群１０３Ｇの内部には、図７に示すように、周囲が冷却管３に囲まれた内部蒸気通路３６と、水受けトレイ（水受け部）１３７と、空気抽出部３８と、が設けられている。
【００４９】
図８は、図７の水受けトレイの配置を説明する模式図である。図９は、図７の水受けトレイの構成を説明する模式図である。
水受けトレイ１３７は、図８に示すように、内部蒸気通路３６における上部熱交換部３１に囲まれた領域に配置されたものである。
水受けトレイ１３７には、図８および図９に示すように、シェブロンベーン１３８と、枠部１３９と、排出部３７Ａとが設けられている。
【００５０】
シェブロンベーン１３８は、図９に示すように、管支持板と略平行な断面視において、上下方向（図９の上下方向）に延びるとともに波状に折り曲げられ、左右方向（図９の左右方向）に並んで配置された複数の波板部１３８Ａと、波板部１３８Ａの近傍に、波板部１３８Ａから離れる方向、かつ、上方に向かって延びる分岐部１３８Ｂとを有するものである。
【００５１】
シェブロンベーン１３８は、図８に示すように、隣り合う管支持板５の間を繋ぐように配置され、一の管支持板５から他の管支持板５に向かって、シェブロンベーン１３８が下方に傾斜して配置されている。
【００５２】
枠部１３９は、図８および図９に示すように、管支持板５とシェブロンベーン１３８との間に配置され、管支持板５に取り付けられるとともに、シェブロンベーン１３８を管支持板５に固定する部材である。
【００５３】
排出部３７Ａは、シェブロンベーン１３８における下方に配置された端部側（図８の右側の端部側）の枠部１３９に配置され、シェブロンベーン１３８から流れてきた復水を、管支持板５をつたって下方に流出させる部材である。
【００５４】
次に、上記の構成からなる復水器１０１における作用について説明する。
蒸気は、図７に示すように、冷却管群１０３Ｇにおける上部熱交換部３１および下部熱交換部３３に流入し、冷却管３の内部を流れる冷却水により冷却される。冷却された蒸気は、冷却管３の表面において凝縮して水となる。
【００５５】
内部蒸気通路３６の上方で凝縮した水は、内部蒸気通路３６内を下方に落下する。
内部蒸気通路３６内を落下した水は、図８および図９に示すように、水受けトレイ１３７の波板部１３８Ａに受け止められる。波板部１３８Ａに受け止められた水は、波板部１３８Ａをつたって下方に流れ落ち、波板部１３８Ａと分岐部１３８Ｂとの間の空間に流入し、当該空間を管支持板５に向かって流れる。管支持板５に向かって流れた水は、排出部３７Ａにおいて水受けトレイ３７から下方に流れ落ちるとともに、管支持板５をつたって下方に流れ落ち、ホットウェル２２まで落下する。
【００５６】
下部熱交換部３３における冷却管３の表面で凝縮した水も、同様に重力により下方に落下して、ホットウェル２２まで落下する。
ホットウェル２２に落下した水は、図２に示すように、復水ポンプ２３によりボイラなどに送水される。
【００５７】
その一方、上部熱交換部３１および下部熱交換部３３と通過した未凝縮の蒸気や、空気などの非凝縮性気体は、図７に示すように、内部蒸気通路３６に流入する。
上部熱交換部３１から内部蒸気通路３６に流入した未凝縮の蒸気等は、内部蒸気通路３６の内部と下方に向かって流れ、水受けトレイ１３７を通過して空気冷却部３２に流入する。下部熱交換部３３から内部蒸気通路３６に流入した未凝縮の蒸気等は、内部蒸気通路３６の内部を上方に向かって流れ、空気冷却部３２に流入する。
【００５８】
ここで、未凝縮の蒸気等は、図９に示すように、上下方向に延びる波板部１３８Ａの間を通って水受けトレイ１３７を通過する。
【００５９】
空気冷却部３２に流入した未凝縮の蒸気等は、空気冷却部３２の冷却管３を流れる冷却水によりさらに冷やされる。未凝縮の蒸気の一部は凝縮されて水となり、ホットウェル２２に落下する。
空気冷却部３２においても凝縮されなかった蒸気や、非凝縮性気体は、空気冷却部３２から空気抽出部３８に流入し、胴２から外部に排気される。
【００６０】
上記の構成によれば、水受けトレイ１３７が配置された領域を上方から下方へ流れる蒸気などの流体は、波板部１３８Ａの間を通過して流れる。
その一方で、水受けトレイ１３７の上方に配置された冷却管３の表面から落下した水は、波板部１３８Ａに受け止められ、その表面をつたって波板部１３８Ａと分岐部１３８Ｂとの間に流入する。
あるいは、直接、波板部１３８Ａと分岐部１３８Ｂとの間に受け止められる。そして、波板部１３８Ａと分岐部１３８Ｂとの間の水は、他の管支持板５に向かって流れ、他の管支持板５をつたって下方に流れ落ちる。
【００６１】
なお、上述のように枠部１３９を用いてシェブロンベーン１３８を管支持板５に固定しても良いし、シェブロンベーン１３８を、直接、管支持板５に溶接などの方法を用いて固定してもよく、特に限定するものではない。
【図面の簡単な説明】
【００６２】
【図１】本発明の第１の実施形態に係る復水器の構成を説明する模式図である。
【図２】図１の復水器の構成を説明するＡ−Ａ断面視図である。
【図３】図２の冷却管群の構成を説明する断面視図である。
【図４】図３の水受けトレイの形状を説明する模式図である。
【図５】図３の水受けトレイの配置を説明する模式図である。
【図６】図４の水受けトレイの他の実施例を説明する部分断面図である。
【図７】本発明の第２の実施形態に係る復水器の冷却管群の構成を説明する模式図である。
【図８】図７の水受けトレイの配置を説明する模式図である。
【図９】図７の水受けトレイの構成を説明する模式図である。
【符号の説明】
【００６３】
１，１０１  復水器
２  胴（筐体）
３  冷却管
５  管支持板
３６  内部蒸気通路（内部流路）
３７，１３７  水受けトレイ（水受け部）
【図１】
2010071485.tif 000003
【図２】
2010071485.tif 000004
【図３】
2010071485.tif 000005
【図４】
2010071485.tif 000006
【図５】
2010071485.tif 000007
【図６】
2010071485.tif 000008
【図７】
2010071485.tif 000009
【図８】
2010071485.tif 000010
【図９】
2010071485.tif 000011